(57)【特許請求の範囲】
【請求項１】
アイロン台組立体であって：
−アイロン掛け側を有する主台部分と、
−少なくとも２つの補助台部分であって、それぞれアイロン掛け側を有するとともに、それぞれの前記補助台部分は、前記補助台部分が前記主台部分と実質的に直線的に延びる動作位置と、前記補助台部分が前記主台部分と実質的に直線的に延びない折畳み位置との間で移動可能であるように、前記主台部分に移動可能に接続される、少なくとも２つの補助台部分と、を含む、
−アイロン台；
−前記主台部分及び前記補助台部分の前記アイロン掛け側を覆うとともに、ユーザがアイロン掛けするためのアイロン掛け面を提供するように、前記アイロン台に取り付け可能な柔軟なアイロン台カバー；及び
−前記補助台部分が前記動作位置にあるとき、前記提供されたアイロン掛け面が、前記主台部分と前記補助台部分との間の結合部又は隙間を横切って継ぎ目なしに広がるように、覆われた前記アイロン掛け側の上で前記柔軟なカバーをぴんと張るように構成される、前記補助台部分それぞれに対応する複数の張力手段；を有し、
それぞれの前記張力手段は、
−前記補助台部分に関連付けられた前記アイロン台カバーの周辺端部の一部に沿って配置された、いくつかの第１の取付設備；
−前記主台部分の非アイロン掛け側に設けられた、第２の取付設備；及び
−前記第１及び前記第２の取付設備を相互に接続する１つまたは複数の弾性部材；を有し、
前記柔軟なカバーが対応する前記補助台部分と前記主台部分との間の結合部又は隙間を横切って継ぎ目なしに広がるように、他の前記張力手段と独立して、前記１つまたは複数の弾性部材を用いて、前記柔軟なカバーに作用する、
アイロン台組立体。
【請求項２】
前記補助台部分は、前記主台部分にヒンジ式に接続される、
請求項１に記載のアイロン台組立体。
【請求項３】
前記補助台部分は、前記折畳み位置にあるとき、前記主台部分の前記アイロン掛け側及び前記補助台部分の前記アイロン掛け側が互いに離れた方向を向くように、前記主台部分の非アイロン掛け側に対して平らに折畳まれる、
請求項１又は２に記載のアイロン台組立体。
【請求項４】
前記張力手段は、前記アイロン台カバーが少なくとも部分的に作られる弾性布を含む、
請求項１乃至３のいずれか１項に記載のアイロン台組立体。
【請求項５】
前記アイロン台カバーの前記弾性布は、伸縮性を有するとともに、４．９０Ｎの引張り力を受けるときに２０−３０％の伸びをもたらす弾性を有する、
請求項４に記載のアイロン台組立体。
【請求項６】
前記第２の取付設備は、前記補助台部分の対称線上に設けられる、
請求項１乃至５のいずれか１項に記載のアイロン台組立体。
【請求項７】
前記第１の取付設備は、前記アイロン台カバーの前記周辺端部に沿って実質的に等距離に離間して配置される、
請求項１乃至６のいずれか１項に記載のアイロン台組立体。
【請求項８】
前記動作位置及び／又は前記折畳み位置にある前記補助台部分を開放可能にロックするように構成されたボルト機構をさらに有する、
請求項１乃至７のいずれか１項に記載のアイロン台組立体。
【請求項９】
前記補助台部分は、折畳み式の先端部を持つ前記主台部分を提供するように、実質的に細長い前記主台部分の端部に移動可能に接続される、
請求項１乃至８のいずれか１項に記載のアイロン台組立体。
【請求項１０】
１組の折畳み式のウィングレットを持つ前記主台部分を提供するように、前記主台部分の対向する長手方向の端部において前記主台部分に移動可能に接続される２つの補助台部分を有する、
請求項１乃至９のいずれか１項に記載のアイロン台組立体。
【請求項１１】
前記補助台部分に関連付けられたアイロン掛け面面積は、前記主台部分に関連付けられたアイロン掛け面面積の３分の１より小さい、
請求項１乃至１０のいずれか１項に記載のアイロン台組立体。
【請求項１２】
−アイロン台の実質的に細長い主台部分のアイロン掛け側を覆うように構成される主カバー部分；及び
−前記主カバー部分に継ぎ目無しに取付けられるとともに、前記アイロン台の少なくとも２つの補助台部分のアイロン掛け側を覆うように構成される少なくとも２つの補助カバー部分であって、それぞれの前記補助台部分が前記主台部分の端部において又は前記主台部分の端部に隣接して前記主台部分から突出する、少なくとも２つの補助カバー部分；を有し、
前記少なくとも２つの補助カバー部分はそれぞれ、前記少なくとも２つの補助カバー部分のそれぞれの周辺端部の一部に沿って配置される複数の第１の取付設備を含むように構成され、
前記複数の第１の取付設備が、相互に及び前記主台部分の非アイロン掛け側に設けられた部分に、弾性部材により接続されることにより、前記少なくとも２つの補助カバー部分は、それぞれ独立して前記補助台部分の前記アイロン掛け側を覆うように構成される、
アイロン台カバー。
【請求項１３】
前記端部に隣接する前記主台部分の対向する長手方向の端部から突出する２つの補助台部分それぞれのアイロン掛け側を覆うように構成される２つの補助カバー部分を有する、
請求項１２に記載のアイロン台カバー。
【請求項１４】
前記カバーは、少なくとも部分的に、伸縮性を有し、４．９０Ｎの引張り力を受けるときに２０−３０％の伸びをもたらす弾性を有する、弾性材料から作られる、
請求項１２又は１３に記載のアイロン台カバー。
【発明の詳細な説明】
【技術分野】
【０００１】
本発明は、アイロン台組立体の分野、より具体的には、可変アイロン掛け面を有するアイロン台組立体に関する。
【背景技術】
【０００２】
従来のアイロン台組立体は、典型的には、２つの旋回可能に接続された折畳み式の脚によって支持された、細長い、実質的に長方形のアイロン台を含み得る。一方の端部において、アイロン台は先細の先端部を有し得る一方、反対側の端部において、アイロン載せ台が設けられ得る。アイロン台は、アイロン掛け側にクッション及び熱散逸フェルトパッドが配置され得る金属メッシュテーブルを有し得る。パッドは、繊維アイロン台カバーによって適所に保持され得る。このカバーの外側はアイロン掛け面を提供し得る。
【０００３】
このような従来のアイロン台組立体の欠点は、アイロン台の先細の先端が様々な衣服のアイロン掛けのために便利であるように設計されていることである。結果として、それは特にどの衣服にも典型的には適さない。特許文献１（Ｔｏｕｔｏｕｎｃｈｉａｎ）は、これを認め、アイロン台及び３つの翼形のアタッチメントを含むアイロン台組立体を開示する。アイロン台の前端は、３つの隣接する、等しく離間して配置された円弧部を含むように形作られ、各翼形のアタッチメントは、アイロン台の円弧部を補完する円弧部を有する端部を含む。各翼形のアタッチメントは、アイロン掛け面を広げるために、隣接する３つの円弧部のいずれかにおいてアイロン台と取り外し可能に接続可能であるように適合される。したがって、翼形のアタッチメントは、全部で８つの異なるアイロン掛け面形状を要求通りに提供するように、アイロン台に接続されてもされなくてもよい。
【０００４】
特許文献１によるアイロン台組立体に関連する問題は、どこに翼形のアタッチメントがアイロン台に接続されても、継ぎ目又は隙間が翼とアイロン台の接合部のアイロン掛け面に存在することである。継ぎ目は典型的には、アイロン台及び翼形のアタッチメントの剛体フレーム又は構造、及び／又はそれらのアイロン掛け側に設けられた軟らかく、可撓性のパッドは、継ぎ目無しに相互に接続されない。
【先行技術文献】
【特許文献】
【０００５】
【特許文献１】ＷＯ２０１０／００１１２０
【発明の概要】
【発明が解決しようとする課題】
【０００６】
本発明の目的は、この問題を克服又は軽減すること、及び滑らかで如何なる継ぎ目又は隙間もない可変のアイロン掛け面を持つアイロン台組立体を提供することである。
【課題を解決するための手段】
【０００７】
本発明の第１の態様は、アイロン台組立体を対象にする。組立体は、アイロン掛け側を有する主台部分と、少なくとも１つの補助台部分であって、補助台部分もまたアイロン掛け側を有するとともに、補助台部分が主台部分と実質的に直線的に又は同一平面上に延びる動作位置と、補助台部分が主台部分と実質的に直線的に又は同一平面上に延びない折畳み位置との間で移動可能であるように、主台部分に移動可能に接続される、補助台部分と、を含むアイロン台を有する。組立体はさらに、主台部分及び補助台部分両方のアイロン掛け側を覆うとともに、ユーザがアイロン掛けするためのアイロン掛け面を提供するように、アイロン台に取り付け可能な柔軟なアイロン台カバーを有する。組立体はまた、張力手段を有し、張力手段は、少なくとも補助台部分が動作位置にあるとき、提供されたアイロン掛け面が、主台部分と補助台部分との間の結合部又は隙間を横断して継ぎ目なしに広がるように、覆われたアイロン掛け側の上で柔軟なカバーをぴんと張るように構成される。
【０００８】
本発明によるアイロン台組立体は、少なくとも２つの台部分、すなわち、主台部分及び少なくとも１つの補助台部分を有するアイロン台を特徴とする。補助台部分は、典型的には、主台部分より小さくなり得るとともに、好ましくは、主台部分のアイロン掛け面面積の３分の１より小さい面積を有するアイロン掛け面を備え得る。主台部分に対する補助台部分の位置は、ユーザがアイロン台のアイロン掛け面の形状を変化させる及び／又はその面積を変化させる、例えば拡大又は縮小させることを可能にするよう調節可能である。アイロン掛け面自体は、両方の又は全てのアイロン台部分のアイロン掛け側に広がる単一の柔軟なアイロン台カバーの外側面によって提供される。ユーザに示されるアイロン掛け面が滑らかであることを確実にするために、（下層の）台部分の間のあり得る継ぎ目又は隙間にかかわらず、張力手段がカバーをぴんと張るために設けられる。
【０００９】
アイロン台組立体の実施形態では、補助台部分は、主台部分にヒンジ式に接続される。ヒンジ式の接続は、ユーザが補助台部分を作動位置と折畳み位置との間で容易に旋回させることを可能にする。用語「ヒンジ式に接続される」は、単に「全くヒンジ（機構）だけによって接続される」ことを意味すると解釈されるべきではなく、主台部分と補助台部分との間のヒンジ式の接続は、ヒンジ機構に隣接して、２つの台部分の間で相対並進運動を可能にする並進機構等、追加的に他の連結機構を含み得る。
【００１０】
アイロン台組立体の他の実施形態では、補助台部分は、折畳み位置にあるとき、主台部分の非アイロン掛け側に対して平らに、好ましくは主台部分のアイロン掛け側及び補助台部分のアイロン掛け側が互いに離れた方向を向くように、折畳まれる。
【００１１】
それによって補助台部分及び主台部分が相互接続される接続部は、アイロン台組立体のコンパクトな保管を可能にするために、補助台部分が、主台部分に対して平らに折畳まれる又は畳まれることを可能にし得る。補助台部分は、好ましくは、主台部分のアイロン掛け側が補助台部分の位置にかかわらず使用可能であるように、主台の非アイロン掛け側又は下側に折畳み可能であり得る。補助台部分のアイロン掛け側が主台部分のアイロン掛け側から離れた方向を向くように補助台部分を畳むことは、少なくとも主台部分のアイロン掛け面に渡ってアイロン台カバーを平らにぴんと張って保つための張力機構の役割を、追加的に促進し得る。
【００１２】
本発明によるアイロン台組立体は、アイロン台カバーをアイロン台の台部分のアイロン掛け側の上にぴんと張るための張力手段を含む。張力手段は、アイロン台組立体の異なる実施形態において異なる形態を取り得る。
【００１３】
１つの実施形態では、張力手段は、アイロン台カバーが全体的に又は部分的に作られる弾性布を含み得る。すなわち、アイロン台カバー自体が伸縮自在であり得る。弾性、伸縮自在アイロン台カバーを特徴とする実施形態は、後述されるように弾性部材のような、別個の張力手段が必要とされないという利点を提供し、これは、デザインの質を高めるとともにアイロン台組立体の使用を容易にする。さらに、少なくとも部分的に弾性のアイロン台カバーは、伸縮性のある周辺端部、カバーの縁に設けられた（場合により弾性の）引き紐、又はカバーをアイロン台に取り外し可能に固定するための同様の手段を含み得る。ユーザにアイロン台の形状を変化させるのにかなりの力を用いさせることなしに。伸縮自在のカバーがアイロン台の異なる形状に適切に適応することを可能にするために、アイロン台カバーの弾性布は好ましくは、２方向又は４方向の伸縮性を有し得るとともに、約５００ｇｆ（すなわち、４．９０Ｎ）の引張り力を受けるときに２０−３０％の伸びをもたらす弾性を有し得る。
【００１４】
本発明によるアイロン台組立体の他の実施形態では、張力手段は、補助台部分に関連付けられたアイロン台カバーの周辺端部の一部に沿って配置された、いくつかの第１の取付設備を含む。それらはさらに、主台部分の非アイロン掛け側に設けられた第２の取付設備と、第１及び第２の取付設備を相互に接続する１つまたは複数の弾性部材とを有する。
【００１５】
アイロン台カバーを補助台部分の上にぴんと張るために、第１の取付設備が、補助台部分を覆うように設計されたカバーの一部の周辺端部に沿って設けられ得る。アイロン台カバーは好ましくは、補助台部分が動作位置にあるとき、第１の取付設備が補助台部分の非アイロン掛け側（すなわち、アイロン掛け側から離れる方向を向く側、使用中典型的には下側）に置かれるように、構成され得る。第１の取付設備は、１つ又は複数の弾性部材、例えば、１つの無端の弾性の紐又は幾つかの細長い／有限の弾性の紐によって、相互に接続され得る。この弾性部材は、同様に主台の非アイロン掛け側に設けられる第２の取付設備に連結され得る。弾性部材が締められる又は伸ばされるとき、弾性部材は、第１の取付手段を互いに向かって（引き紐によく似ているように）、且つ主台部分に向かって内側に引き付け、したがって、補助台部分のアイロン掛け側を覆う部分がぴんと張られるように、カバーを補助台部分の周辺端部に渡って引っ張る。
【００１６】
ほぼ均一に張力をかけること及び弾性部材によってアイロン掛けカバーへの均整のとれた引張りを促進するために、特にカバーによって提供されるアイロン掛け面の膨らみ及び同様のものを避けるために、第２の取付設備は好ましくは、補助台部分の対称線に配置され得る。補助台部分は、例えば、補助台部分が主台部分に対してヒンジ式に動き得る軸に実質的に直行して延びる対称線に対して線対称であり得るとともに、第２の取付設備は、実質的にこの対称線上に設けられ得る（補助台部分の形状に対して引張り力を中心に合わせる）。加えて、第１の取付設備は好ましくは、引張り力を均一に分配するために、アイロン台カバーの周辺端部に沿って実質的に等距離に離間して配置され得る。
【００１７】
アイロン台組立体の他の実施形態では、組立体は、動作位置及び／又は折畳み位置にある補助台部分を開放可能にロックするように構成されたボルト機構を有する。
【００１８】
ボルト機構は、動作位置及び／又は折畳み位置にある補助台部分を開放可能にロックするように設けられ得る。このようなボルト機構は例えば、スライド可能なボルト、スライド可能なボルトを案内するためのガイド及び、保持器又は支持面を含み得る。ガイドは好ましくは、主台部分及び補助台部分の一方の背面又は下側に接続され得る一方、保持器又は支持面は他方の背面に配置され得る。配置は、ボルトがガイド内で移動可能であり、主台部分と補助台部分のそれぞれの相互の配置をロックするために、補助台部分が動作／折畳み位置にあるとき、保持器内に又は支持面に対してスライド可能であるようになり得る。
【００１９】
一般的に、アイロン台は、主台部分及び１つ又は複数の補助台部分に任意に分離されることができ、各台部分は所望の形状およびサイズを有し、主台部分は典型的にはそれらの中で最も大きい。しかし、いくつかのアイロン台形状は特に便利に見える。
【００２０】
アイロン台組立体の１つの実施形態では、例えば、補助台部分は、折畳み式の先端部を持つ主台部分を提供するように、実質的に細長い主台部分の端部または横断端部に移動可能に接続され得る。先端部は好ましくは、狭い衣服の部分への挿入を容易にするために外向きに先細になる形状を有し得る。
【００２１】
アイロン台組立体の他の実施形態では、アイロン台は、１組の折畳み式のウィングレットを持つ主台部分を提供するように、対向する長手方向の端部において主台部分に移動可能に接続される２つの補助台部分を有し得る。ウィングレットは好ましくは、ウイングレットが動作位置に動かされたとき、自由端におけるアイロン台が肩ヨーク形状を取ることができ、シャツの後ろの肩部分及び同様のもののアイロン掛けを容易にするように、主台部分の自由端に隣接して設けられ得る。
【００２２】
特にコンパクトな収納に適したアイロン台組立体のさらに他の実施形態では、アイロン台の主台部分を典型的には構成する中央の細長い台部分自体が、主台部分と補助台部分に分割され得る。したがって、実施形態は、一体になってアイロン台の大部分または全ての表面積を提供する２つの略同じサイズの台部分を有するアイロン台を特徴とする。このような場合、主台部分に関連付けられたアイロン掛け面の面積及び補助台部分に関連付けられたアイロン掛け面の面積は好ましくは、最も小さい表面積の５０％以下のサイズで異なり得る。
【００２３】
本発明の他の態様は、本発明によるアイロン台組立体に用いるためのアイロン台カバーを対象にする。アイロン台カバーは、アイロン台の実質的に細長い主台部分のアイロン掛け側を覆うように構成される主カバー部分と、主カバー部分に継ぎ目無しに取付けられるとともにアイロン台の少なくとも１つの補助台部分のアイロン掛け側を覆うように構成される少なくとも１つの補助カバー部分とを有し、この補助台部分は、主台部分からその（長手方向の）端部において又はその（長手方向の）端部に隣接して突出する。１つの実施形態では、アイロン台カバーは、端部に隣接する主台部分の対向する長手方向の端部から突出する２つの補助台部分それぞれのアイロン掛け側を覆うように構成される２つの補助カバー部分を含む。他の実施形態では、アイロン台カバーはまた、細長い主台部分の端部から長手方向に突出する補助台部分のアイロン掛け側を覆うように構成された補助カバー部分を含み得る。
【００２４】
既知のアイロン台組立体のための既知のアイロン台カバーは典型的には、直線の及び僅かに凸形状の端部（比較的大きい曲率半径を有する）を含み得る滑らかな周辺端部を持つ再変形可能でないアイロン台にフィットするようにデザインされる。これらのカバーは、主台部分から不規則に突出し、動作位置と折畳み位置との間で位置を変えられ得るアイロン台延長部を含むアイロン台を覆うように適していない。代わりに、このようなアイロン台延長部又は付属品は、例えば特許文献１から知られるように、典型的にはそれ自身のカバーを備えるようになっている。上述のように、延長部の使用は、全アイロン掛け面において継ぎ目に盛り上がりを生み出し、それらの上でアイロン掛けされる衣服において折り目をもたらし得る。本発明は、主台及びそこから突出する任意の補助台部分の両方を覆うように構成された継ぎ目の無いアイロン台カバーを提供することによって、この問題を克服する。このようなカバーがぴんと張られるとき、継ぎ目はそれが提供するアイロン掛け面に残らない。アイロン台カバーは、例えば、アイロン台カバーを少なくとも部分的に、２又は４方向の伸縮性を有し、例えば、４．９０Ｎの引張り力を受けるときに２０−３０％の伸び（１００ｍｍの試験長さ）をもたらす弾性を有する弾性材料から製造することによって、それをぴんと張るために組み込まれた張力手段を取付けられ得る。代替的には、アイロン台カバーは−使用中−別個の張力手段によって（以下に記載された弾性部材を参照）ぴんと張られ得る。カバーを再構成可能なアイロン台に取り外し可能に固定するために、カバーは、少なくとも部分的に伸縮性のある周辺端部、又はカバーの縁に設けられた（場合により弾性の）引き紐を含み得る。或いは、又は加えて、アイロン台カバーは、特に少なくとも１つの補助台部分に関連付けられた、アイロン台カバーの周辺端部の一部に沿って配置された、いくつかの第１の取付設備を含みことができ、取付設備は、アイロン台に設けられた第２の取付設備に接続されるように構成される。第１及び第２の取付設備の間の接続は、直接であり得る、又は、同時にカバーをぴんと張るための引張り力の少なくとも一部を提供し得る１つ又は複数の弾性部材を用い得る。
【００２５】
本発明のこれらの及び他の特徴および利点は、説明することを意図されるものであって本発明を限定するものではない、添付の図面を参照して、本発明の幾つかの実施形態の以下の詳細な説明からより完全に理解されるであろう。
【図面の簡単な説明】
【００２６】
【図１】図１は、可変のアイロン掛け面を持つ、本発明による例示的なアイロン台組立体の概略斜視図である。
【図２】図２は、図１に示されたアイロン台組立体の概略上面図である。
【図３】図３は、図１に示されたアイロン台組立体の一部を形成する広げられたアイロン台カバーの概略上面図である。
【図４】図４は、補助台部分が動作位置にある、主台部分及び補助台部分を示す、図１に示されたアイロン台組立体の概略断面側面図である。
【図５】図５は、補助台部分が折畳み位置にある、主台部分及び補助台部分を示す、図１に示されたアイロン台組立体の概略断面側面図である。
【図６】図６は、動作位置にある図１に示されたアイロン台の補助台部分を開放可能にロックするように構成された例示的なボルト機構の概略底面図である。
【発明を実施するための形態】
【００２７】
図１は、本発明による例示的なアイロン台組立体１の概略斜視図である。アイロン台組立体１の概略上面図は図２に示される。
【００２８】
ここで特に図１及び図２を参照する。アイロン台組立体１はアイロン台２を有し、このアイロン台２は、アイロン台２の下側に取付けられたそれ自体は従来の折畳み式の脚組立体４によって支持される。実質的に細長いアイロン台２の一方の端部にはアイロン載せ台６が設けられ得る。
【００２９】
アイロン台２は、主台部分１０及びそこに移動可能に接続された３つの補助台部分２０ａ−ｃを有する。図１及び２の実施形態では、補助台部分２０ａ−ｃは、１つ又は複数の１自由度のヒンジ２２ａ−ｃ（図１では見えない。図４−６参照）によって主台部分１０にヒンジ式に接続される。ヒンジ２２ａ−ｃは、それぞれの補助台部分２０ａ−ｃが、図１に示されるような、作動位置と、主台部分１０の下側に対して平らに折畳まれる折畳み位置（図５参照）との間をヒンジで動かされることを可能にする。その周りを補助台部分２０ａ−ｃが旋回可能である軸が、点線を用いて図２の上面図内に概略的に示される。
【００３０】
細長い主台部分１０の端部に設けられた補助台部分２０ａは、アイロン台２の折畳み式の先端部として働く。主台部分１０の対向する長手方向の端部／側部且つ自由端（アイロン載せ台６より遠位）の近くに設けられる、補助台部分２０ｂ、２０ｃは、一緒に肩ヨーク形状を形成する１組の折畳み式の肩形状ウィングレットを持つ主台部分１０をもたらす。補助台部分２０ａ−ｃは原理的に任意の所望の形状を取り得るが、それらは好ましくは、場合によって狭い衣服の部分への挿入を容易にするために、滑らかな周辺端部及び先細の又は凸の輪郭を有し得る。
【００３１】
図４により良く見ることができるように、アイロン台２の各台部分１０、２０ａ−ｃは、アイロン掛けが行われ得るアイロン掛け側１４、２４ａ−ｃを有する。台部分１０、２０ａ−ｃがアイロン掛けのために使用されているとき、アイロン掛け側１４、２４ａ−ｃは通常、台部分の上部又は上方を向く側に対応する。クッション及び熱散逸層１６、２６ａ−ｃ、例えばフェルト層が台部分１０、２０ａ−ｃのアイロン掛け側１４、２４ａ−ｃに設けられることができ、これらの層は今度は、適所に保持され得る又はアイロン台カバー４０によって少なくとも覆われ得る。
【００３２】
アイロン台カバー４０は、アイロン台２の形状に関係なく、主台部分１０及び補助台部分２０ａ−ｃの全てのアイロン掛け側１４、２４ａ−ｃを同時に及び少なくとも部分的に覆う、柔軟な一枚の物である。すなわち、アイロン第２が所望の形状を有するアイロン台２を形成するために独立して配置され得る異なる台部分１０、２０ａ−ｃを有するという事実にもかかわらず、全アイロン台２のためのただ１つのアイロン台カバー４０がある。アイロン台カバー４０は、例えば綿等、任意の適切な材料から作られ得る。幾つかの実施形態では、カバー材料は弾性材料であり得るが、これは必ずしもそうである必要はない。
【００３３】
完全に又は部分的に弾性の伸縮自在の布から作られるアイロン台カバー４０を特徴とする実施形態では、以下の材料の仕様がガイダンスとして役立ち得る。布は好ましくは、長さ及び幅方向の両方に伸びることを可能にするように、２方向又は４方向の伸縮性を有し得る。加えて、布の弾性は好ましくは、５００ｇｆ（すなわち、４．９０Ｎ）の引張り力を受けるときに２０−３０％の伸びをもたらすようになり得る。これらの仕様に適合する１つの有利な例示的な布は、９７−９５％の綿及び３−５％のスパンデックス／ライクラを含む、綿−エラステインである。しかし、代替の布材料（例えば、シリコーン処理された綿、アラミド等）及び織り方（より合わせられる、織られる、編まれる、等）もまた用いられ得る。布は好ましくは、焦げ痕等、損傷を受けること無しに典型的な底板の温度の熱への暴露に耐えることができる。１０秒までの短い期間に対して、布は好ましくは約２３０℃までの温度に耐えることができる一方、約２時間までの長い期間に対して、布は好ましくは１８０℃までの温度に対して耐熱であり得る。布は、任意選択で、例えば、金属タイプのコーティング等、難燃性を提供され得る、又はそのような難燃性を含浸され得る。その製造プロセスの一部として、アイロン台カバー４０の布はさらに、後の使用中／繰返しの洗濯中のアイロン台カバーの収縮を避けるために、事前収縮処理にさらされ得る。
【００３４】
補助台部分２０ａ−ｃが動作位置にあるとき、補助台部分は、図１、２及び４に示されるように、主台部分１０と一直線に又は同一平面状に延びる。図１では、全ての補助台部分２０ａ−ｃが動作位置にある。アイロン台カバー４０が折畳まれていない動作位置にあるアイロン台部分１０、２０ａ−ｃのアイロン側１４、２４ａ−ｃの上に広がる場合、その外側に向かう面自体がユーザに対するアイロン掛け面４２として存在する。適切なアイロン掛けの結果のために、このアイロン掛け面４２は、折り目の無いことが重要である。アイロン台カバー４０の一枚の性質は、張力システムがカバー４０をぴんと張るために設けられという条件で、特に主アイロン台部分１０と補助アイロン台部分２０ａ−ｃの間の任意の接合部又は隙間８（図４参照）を横切る、このような折り目なしのアイロン掛け面４２を可能にする。
【００３５】
例示的な張力手段５０及びそれらの動作が特に図３、４及び５を参照して説明される。図３は、図１に示されたアイロン台組立体の一部を形成する広げられたアイロン台カバー４０の概略上面図である。図４は、図１に示されたアイロン台２の概略断面側面図であり、主台部分１０及び動作位置にある補助台部分２０ａを示す。図５は、図４と類似する断面側面図であるが、補助台部分２０ａが折畳み位置にある。
【００３６】
示された実施形態の張力手段５０は、各補助台部分２０ａ−ｃのために、アイレット等、幾つかの第１の取付設備５２ａ−ｃを含む。第１の取付設備５２ａ−ｃは、それぞれの台部分に関連付けられたアイロン台カバー４０の周辺端部の一部４４ａ−ｃに沿って配置される。これは図３に示されている。対称且つ均一な力の印加のために、第１の取付設備５２ａ−ｃは、周辺端部のそれぞれの一部４４ａ−ｃに沿って、実質的に等距離に離間して配置され得る。
【００３７】
張力手段５０はさらに、各補助台部分２０ａ−ｃのために、第２の取付設備５４ａ−ｃを含み得る。例えばフック又はアイレットの形態を取り得る、それぞれのこのような第２の取付設備５４ａ−ｃは、図４及び５に示されるように、主台部分１０の下側に配置され得る。
【００３８】
さらに、張力手段５０は、各補助台部分２０ａ−ｃのために、それぞれの補助台部分２０ａ−ｃに関連付けられた第１の取付設備５２ａ−ｃ及び第２の取付設備５４ａ−ｃを相互に接続する弾性部材５６ａ−ｃを含み得る。１つの実施形態では、弾性部材５６ａ−ｃは、それぞれの補助台部分２０ａ−ｃに関連付けられた全ての第１の取付設備５２ａ−ｃを連続的に相互に接続する又は結び合わせる、すなわち、第１の取付設備が周辺端部の一部４４ａ−ｃに沿って配置されるように第１の取付設備を接続する、弾性の紐であり得る、図３参照。各弾性部材はまた、第２の取付設備５４ａ−ｃに接続され得る。この第２の取付設備５４ａ−ｃは次に、固定取付点として機能し得る一方、第１の取付設備５２ａ−ｃは、弾性部材に沿って及び互いに対して移動可能であり得る。第２の取付設備５４ａ−ｃに接続され得る弾性部材５６ａ−ｃのポイントのおおよその場所は、図３において小さい四角で印を付けられる。
【００３９】
張力手段５０の働きが以下に記載される。補助台部分、例えば図４及び５の台部分２０ａが動作位置にあるとき、補助台部分は主台部分１０と一直線に延びる。しかし、アイロン台２の可変性、より具体的には補助台部分２０ａの折畳みできることのために、接合部又は隙間８が主台部分１０と補助台部分２０ａとの間に存在し得る。このような隙間８の上での衣服のアイロン掛けは折り目をもたらし得る。これを避けるために、全アイロン台２に渡って広がるカバー４０が、張力手段５０によってぴんと張られる。カバー４０によって提供されるアイロン掛け面４２を最適に滑らかにするために、引張り力は、補助台部分２０ａに関連付けられたアイロン台カバー４０の周辺端部の一部４４ａに、この一部に沿って設けられた第１の取付設備５２ａを相互に接続する弾性部材５６ａを通じて実質的に均一に加えられる。主台部分１０の下側に設けられる、第２の取付設備５４ａは、弾性部材が、カバー４０を後ろに又は内向きに、すなわち補助台部分１０の外側周辺端部から離れる方向に、引くことを可能にする取付点を提供する。
【００４０】
図４に示された動作位置から、補助台部分２０ａは、図５の折畳み位置に旋回され得る。この折畳み位置では、補助台部分２０ａは、アイロン掛け側２４ａが主台部分のアイロン掛け側１４から離れる方向を向くように、主台部分１０の下側に当接する。
【００４１】
図４及び５から推測されるように、弾性部材５６ａは、最初に長く伸ばされ、続いて、補助台部分２０ａの折畳み中に短くされ得る。長く伸ばすことは、アイロン台カバー４０の過度な引張りをもたらすことなしに起こり得る。補助台部分２０ａが折畳み位置（図５）にあるとき、弾性部材５６ａの長さは、補助台部分２０ａが動作位置（図４）にあるときより短い。しかし、折畳み位置にあるときでさえ、弾性部材５６ａは、カバー４０をぴんと張るとともに適所に保つためにカバー４０に力を与える。隙間がアイロン掛け面４２の下で埋められる必要がないため、小さい力は問題ではない。
【００４２】
図６は、動作位置にあるアイロン台２の折畳み可能な先端部分２０ａ等、任意の補助台部分２０ａ−ｃをロックするための本発明のアイロン台組立体１とともに使用され得る、例示的なボルト機構６０の概略底面図である。ボルト機構６０は、全体的にアイロン台２の下側に設けられ、スライド可能なボルト６２、ボルト６２のスライド運動を案内するためのガイド６４及び支持面６６を含む。ガイド６４は、補助台部分２０ａの下側に配置される。ガイドは、Ｕ形状ボルト６２の内側への運動を案内すると共に制限するように構成され、その外向きの運動を追加的に制限するスライドストップ６５が付加される。支持面６６は主台部分１０の下側に配置される。
【００４３】
補助台部分２０ａが動作位置にあるとき、Ｕ形状ボルト６２は、その２つの足部分が補助台部分２０ａと主台部分１０との間の接合部を横切って延びるとともに支持面６６に当接するようになるように、内側にスライドさせられ得る。図６参照。この状態において、補助台部分２０ａは、適切な位置でロックされ荷重を支えることができる。ボルト６２を外向きに引き込むことによって、補助台部分２０ａは、固定された位置から開放されることができ、補助台部分が主台部分の下側に対して内側に折畳まれることを可能にする（図５参照）。
【００４４】
本発明の例示の実施形態が、部分的に添付の図面を参照して、上で説明されているが、本発明がこれらの実施形態に限定されないことが理解されるべきである。開示された実施形態の変形形態は、図面、詳細な説明及び添付の特許請求の範囲の検討から、特許請求の範囲に記載された発明を実施するのに、当業者によって理解され得るとともに生み出され得る。この明細書を通じて「１つの実施形態」又は「実施形態」の記載は、実施形態に関連して記載された特定の特徴、構造又は性質が本発明の少なくとも１つの実施形態に含まれることを意味する。したがって、この明細書を通じた様々な場所における「１つの実施形態では」又は「実施形態では」の表現の出現は、必ずしも全てが同じ実施形態を参照する必要がない。さらに、１つ又は複数の実施形態の特定の特徴、構造、又は性質は、新しい、明示されていない実施形態を形成するために任意の適切な方法で組み合わされ得る。
【符号の説明】
【００４５】
１  アイロン台組立体 
２  アイロン台 
４  折畳み式脚組立体 
６  アイロン載せ台 
８  主台部分と補助台部分との間の隙間
１０  主台部分
１４  主台部分のアイロン掛け側 
１６  主台部分のアイロン掛け側に設けられたフェルト層
２０  補助台部分
２２  補助台部分を主台部分に接続するヒンジ
２４  補助台部分のアイロン掛け側 
２６  補助台部分のアイロン掛け側に設けられたフェルト層
４０  アイロン台カバー
４２  アイロン掛け面
４４  補助台部分に関連付けられたアイロン台カバーの周辺端部の一部
５０  張力手段
５２  第１の取付設備
５４  第２の取付設備
５６  弾性部材
６０  ボルト機構
６２  スライド可能なボルト
６４  スライド可能なボルトのためのガイド
６５  スライドストップ
６６  支持面
ａ，ｂ，ｃ．．．  添え字ａ，ｂ，ｃ．．．は、補助台部分２０ａ、２０ｂ、２０ｃ．．．それぞれとの関連を示す
【図１】
0005978208.tif 000002
【図２】
0005978208.tif 000003
【図３】
0005978208.tif 000004
【図４】
0005978208.tif 000005
【図５】
0005978208.tif 000006
【図６】
0005978208.tif 000007